(57)【要約】【課題】  毛髪処理剤を毛髪束に付する際、毛髪処理剤の液だれを防止し得る毛髪処理方法及び毛髪処理器具を提供する。【解決手段】  本発明の毛髪処理方法は、毛髪束９を所定の形状に巻き上げた後、巻き上げた毛髪束９を袋３内において毛髪処理剤５により処理する方法であって、巻き上げた毛髪束９を袋３内に収容し、毛髪束９に毛髪処理剤５を付する方法（第１の方法）、又は巻き上げた毛髪束９を、予め毛髪処理剤５を含ませた袋３内に収容する方法（第２の方法）である。第２の方法においては、毛髪保持器具１が用いられる。毛髪保持器具１は、毛髪束９を所定の形状に巻き上げ且つ毛髪処理剤５を毛髪束９側に浸透可能に構成された毛髪保持具２と、毛髪保持具２を収容可能な袋３と、袋３内に設けられた、毛髪処理剤の含浸体４とからなる。【選択図】    図４
2005152370.tif 000002
【特許請求の範囲】
【請求項１】
毛髪束を所定の形状に巻き上げた後、巻き上げた該毛髪束を袋内において毛髪処理剤により処理する毛髪処理方法。
【請求項２】
巻き上げた前記毛髪束を、予め毛髪処理剤を含ませた袋内に収容する請求項１記載の毛髪処理方法。
【請求項３】
請求項２に記載の毛髪処理方法に用いられる毛髪処理器具であって、
毛髪束を所定の形状に巻き上げ且つ毛髪処理剤を該毛髪束側に浸透可能に構成された毛髪保持具と、
前記毛髪保持具を収容可能な袋と、
前記袋内に設けられた、前記毛髪処理剤の含浸体とからなる毛髪処理器具。
【請求項４】
前記含浸体は、吸水性を有する網状構造又は海綿状構造であり、前記袋の内面に固着されている請求項３に記載の毛髪処理器具。
【発明の詳細な説明】
【技術分野】
【０００１】
本発明は、毛髪処理剤を用いて、毛髪束を、例えば、スパイラル状や、渦巻き状等の所定の形状に巻き上げて保持する毛髪処理方法及びその方法に用いられる毛髪処理器具に関する。
【背景技術】
【０００２】
従来より、毛髪処理剤を用いて、毛髪束を所定の形状に巻き上げて保持する毛髪処理方法においては、例えば特許文献１に示されたコールドパーマネント具が用いられている。この毛髪保持具は、ロッドに巻き付けた毛髪束を保持する一対の半円筒を備え、この内部に、海綿様吸液物質を設けて浸液部を構成したものであり、その浸液部にパーマ液を含浸させることにより、パーマ液が外部に漏れるのを防止するようにしている。
【０００３】
近年、毛髪処理方法においては、ロッドを用いずに、毛髪束の取り扱いを容易にした毛髪保持具が用いられている。例えば、特許文献２に示された毛髪保持具は、筒状体内に毛髪束を取り込んだ状態でその筒状体を変形させることにより、毛髪束の巻回状態を保持するようにしたものである。
しかし、この毛髪保持具は、これ自体を手で巻回する必要があるため、依然として手間がかかるという問題があった。
このような問題を解決するため、特許文献３及び４に示された毛髪保持具は、毛髪束を挿通可能にした筒状体に、巻き上げ用糸を例えばスパイラル状等に巻き付けたものであり、その巻き上げ用糸を引っ張ることにより、毛髪束を筒状体と共に巻き上げるようにしている。
【０００４】
【特許文献１】実公昭３０−１０６５６号公報
【特許文献２】特開平１０−１９２０３６号公報
【特許文献３】特開２００３−９３１３３号公報
【特許文献４】国際公開第０３／００７７５２号パンフレット
【発明の開示】
【発明が解決しようとする課題】
【０００５】
上記特許文献３及び４の毛髪保持具を用いた毛髪処理方法においては、通常、毛髪束と共に巻き上げた筒状体に毛髪処理剤を滴下し、その毛髪処理剤を、筒状体の側面を形成している不織布を通して毛髪束に浸すようにしているが、この際、毛髪処理剤が頭皮等に滴下されたり、あるいは、筒状体に滴下された毛髪処理剤が垂れて衣服等に付着するという問題や、毛髪処理剤を筒状体の外表面に均一に滴下するのは困難であるため、毛髪処理剤が毛髪束に均一に浸されないという問題があった。
【０００６】
従って、本発明の目的は、毛髪処理剤を毛髪束に付する際、毛髪処理剤の液だれを防止し得る毛髪処理方法及び毛髪処理器具を提供することにある。
また、本発明の他の目的は、毛髪束に毛髪処理剤を均一に浸漬させ得る毛髪処理方法及び毛髪処理器具を提供することにある。
【課題を解決するための手段】
【０００７】
本発明は、毛髪束を所定の形状に巻き上げた後、巻き上げた該毛髪束を袋内において毛髪処理剤により処理する毛髪処理方法を提供することにより、前記目的を達成したものである。
本発明は、巻き上げた毛髪束を袋内に収容し、該毛髪束に毛髪処理剤を付する方法（第１の方法）と、巻き上げた毛髪束を、予め毛髪処理剤を含ませた袋内に収容する方法（第２の方法）との双方を含むものである。
本出願において、「毛髪処理剤の含浸体」とは、毛髪処理剤を既に含浸させた含浸体と、毛髪処理剤を含浸可能な含浸体との双方を含む概念である。
【発明の効果】
【０００８】
本発明によれば、毛髪処理剤を毛髪束に付する前に、所定形状に巻き上げた毛髪束を袋内に収容した場合、毛髪保持具から流出した毛髪処理剤や、飛散した毛髪処理剤を、袋内に溜め込むことができるため、毛髪処理剤の液だれを防止でき、また、予め毛髪処理剤を含ませた袋内に、所定形状に巻き上げた毛髪束を収容した場合、その袋内で毛髪処理剤を毛髪束に浸漬させる処理を行うことができるため、毛髪処理剤の液だれを防止できるのはもとより、毛髪処理剤の滴下処理を省くこともできる。
【発明を実施するための最良の形態】
【０００９】
以下、本発明の毛髪処理方法の最も好ましい一実施形態（第１実施形態）を図面を参照して詳細に説明する。
図１に示すように、本実施形態の毛髪処理方法は、毛髪束９を所定の形状に巻き上げた後、巻き上げた毛髪束９を袋３内において毛髪処理剤５により処理する方法であって、巻き上げた毛髪束９を袋３内に収容し、毛髪束９に毛髪処理剤５を付する方法（第１の方法）である。以下、かかる毛髪処理方法を具体的に述べる。
【００１０】
本実施形態の毛髪処理方法においては、主に、毛髪処理剤５、毛髪保持具２、袋３等が用いられ、まず、これらを説明する。
毛髪処理剤５は、通常の毛髪処理に用いられるものであれば特に限定されるものでないが、液だれ防止という本来の目的から、例えば、パーマ剤（１浴式又は２浴式）、トリートメント剤、スタイリング剤、染色剤等の液状剤を用いた場合に効果的であるが、泡状剤、霧状剤等、液化するような剤であってもよい。
【００１１】
毛髪保持具は、毛髪束９を、スパイラル状、渦巻き状等の所定の形状に巻き上げるものであれば、特に限定されるものでないが、毛髪束の巻き上げ処理を効率良く行う観点等から、例えば、図２に示すような毛髪保持具２が好ましい。
図２に示すように、この毛髪保持具２は、２片の矩形状の不織布２ａ、２ｂが、互いに重なり合った状態で、その両側縁部にヒートシールで接合されることにより、毛髪束９を挿通可能な扁平筒状体２Ａに形成されている。なお、不織布２ａ、２ｂの外面には、それぞれ、扁平筒状体２Ａの剛性を高める観点から、帯状片２ｃ、２ｃが貼付されている。
【００１２】
毛髪保持具２の不織布２ａ、２ｂは、外部の毛髪処理剤９を内部の毛髪束９側に透過させる観点から、毛髪処理剤９に対して透過性の不織布であることが好ましく、この不織布としては、市販されている一般的な不織布を使用することができるが、例えば、ポリエチレン不織布等がある。
扁平筒状体２Ａには、巻き上げ用糸２ｄが、所定の軌跡（スパイラル状）に沿って２片の不織布２ａ、２ｂを縫うように巻き付けられている。このような扁平筒状体２Ａは、巻き上げ用糸２ｄの牽引により幾重にも畳められ、その状態で、毛髪束９を上記軌跡に従った形状に保持するようになっている。
なお、扁平筒状体２Ａの内部には、毛髪挿入具６（図３には示されていないが、図４参照）が挿通されている。この毛髪保持具６は、案内紐６ａの先端部に、毛髪束９を束ねるリングバンド６ｂが形成されて構成されている。
【００１３】
図１に示すように、袋３は、毛髪束９と共に巻き上げられた毛髪保持具２を収容可能な大きさで、毛髪処理剤５を貯溜可能なものであれば、特に限定されるものでないが、袋３の大きさについては、巻き上げられた状態の毛髪保持具２の大きさとの関係から定められ、毛髪保持具２を１個収容する場合には、幅×深さが（５０〜１５０ｍｍ）×（５０〜１５０ｍｍ）、毛髪保持具２を２〜４個収容する場合には、幅×深さが（１００〜２５０ｍｍ）×（１００〜２５０ｍｍ）であることが好ましく、袋３を形成する材料については、毛髪処理剤５に対する化学的安定性等から考えれば、例えば、ポリエチレン、ポリプロピレン等の樹脂フィルムが好ましい。
【００１４】
袋３の開口端縁部には、止着部３ａが設けられており、この止着部３ａは、袋３内に溜まった毛髪処理剤５を漏出させないように、袋３の開口部を閉じるようになっている。このような止着部３ａには、例えば、巾着袋に用いられている糸、メカニカルファスナ、粘着テープ等がある。
【００１５】
次いで、上述した毛髪処理剤５、毛髪保持具２、袋３を用いた、本実施形態の毛髪処理方法を述べる。
図３（ａ）（ｂ）に示すように、毛髪挿入具６を内在した毛髪保持具２を用いて、適量の毛髪束９に毛髪挿入具６のリングバンド６ｂを通し、毛髪挿入具６の案内紐６ａの後端部を引っ張ることにより、毛髪束９を毛髪保持具２内に挿通させる。
図３（ｃ）（ｄ）に示すように、巻き上げ用糸２ｄの先端部を引っ張ることにより、毛髪束９と共に毛髪保持具２をスパイラル状に巻き上げ、ストッパ（図示しない）により巻き上げ用糸２ｄを固定し、毛髪束９をスパイラル状に保持する。
【００１６】
このような巻き上げ処理を、毛髪の全体又は所定範囲に対して繰り返し行い、その後、毛髪束９と共に巻き上げられた毛髪保持具２を、１又は複数個まとめて袋３内に挿入して収容し、このような袋収容処理を、上記同様、繰り返し行う。
その後、毛髪保持具２の付け根付近（図１及び図３（ｄ）の矢印Ｐで示す部分）に、毛髪束９毎、毛髪処理剤５を滴下し、すべての袋３を止着部３ａにより閉じ、所定の時間放置する。このような剤滴下処理は、毛髪処理剤５が周囲に飛散しないようにする観点から、袋３内で行うことが好ましい。
【００１７】
この場合、図１に示すように、毛髪束９に滴下された毛髪処理剤５は、毛髪保持具２内で毛髪束９に染み込みつつ毛髪保持具２の後部開口端から流出したり、毛髪保持具２の不織布２ａ、２ｂから滲出して流れ落ち、いずれも袋３内に溜まる。一方、毛髪束９に滴下されない毛髪処理剤５は、袋３内で飛散するが、これも袋３内に溜まる。その結果、袋３内の毛髪束９は、滴下された毛髪処理剤５だけでなく、袋３内に溜まった毛髪処理剤５によっても再び浸されるため、毛髪処理剤５が毛髪束９に均一に浸漬する。
その後の処理は、通常の毛髪処理の場合と同様である。
【００１８】
以上述べたように、本実施形態によれば、毛髪処理中、毛髪処理剤５を毛髪束９に滴下する前に、巻き上げた毛髪束９を袋３内に収容するようにしたため、毛髪保持具２から流出した毛髪処理剤５や、飛散した毛髪処理剤５を、袋３内に溜め込むことができ、その結果、毛髪処理剤５の液だれを防止できる。
特に、剤滴下処理を袋３内で行うようにしたため、毛髪処理剤５の飛散について、美容師等の技術によらず効果的に対処できる。
【００１９】
また、本実施形態によれば、一旦、滴下した毛髪処理剤５を袋３内に溜めるようにしたため、その溜めた毛髪処理剤５を再び毛髪束９に浸すことができ、毛髪処理剤５をより均一に毛髪束９に浸漬させことができる。
なお、本実施形態の袋３については、使用済みの毛髪保持具２を廃棄する際、それが入った袋３ごと捨てればよいため、手を汚さずに簡便である。
【００２０】
以下、本発明の毛髪処理方法及び毛髪処理器具の最も好ましい他の実施形態（第２実施形態）を図面を参照して詳細に説明する。
図４に示すように、本実施形態の毛髪処理方法は、毛髪束９を所定の形状に巻き上げた後、巻き上げた毛髪束９を袋３内において毛髪処理剤５により処理する方法であって、巻き上げた毛髪束９を、予め毛髪処理剤５を含ませた袋３内に収容する方法（第２の方法）である。
本実施形態の毛髪処理器具１は、毛髪束９を所定の形状に巻き上げ且つ毛髪処理剤５を毛髪束９側に浸透可能に構成された毛髪保持具２と、毛髪保持具２を収容可能な袋３と、袋３内に設けられた、毛髪処理剤の含浸体４とからなる。
以下、かかる毛髪処理方法及び毛髪処理器具１を具体的に述べる。
【００２１】
本実施形態の毛髪処理方法においては、主に、毛髪処理器具１等が用いられる。
図４に示すように、毛髪処理器具１は、毛髪保持具２、袋３、及び含浸体４からなる。毛髪保持具２は、毛髪束９を所定の形状に巻き上げ且つ毛髪処理剤５を毛髪束９側に浸透可能なものであれば、特に限定されないが、毛髪束９の巻き上げ処理を効率良く行う観点等から、上記第１実施形態で用いた毛髪保持具２にしている。
【００２２】
袋３は、毛髪保持具２を収容可能なものであれば、特に限定されないが、巻き上げられた状態の毛髪保持具２の大きさとの関係や、毛髪処理剤５の上記化学的性質等との関係等から、上記第１実施形態で用いた袋３にしている。
含浸体４は、毛髪処理剤５を効率よく含浸させる観点から、吸水性を有する網状構造又は海綿状構造であれば、特に限定されないが、本実施形態では、スポンジにしている。含浸体４は、２つのスポンジを用いて、袋３の互いに対向する内面にそれぞれ張り付けられており、袋３内に収容された毛髪束９を挟むようになっている（図４では、含浸体が１つのみ図示）。
含浸体４には、上記第１実施形態と同様の毛髪処理剤５が、少なくとも０．３ｇ／ｃｍ3以上の含有率で含浸されており、袋３の開口部は、止着部３ａ等により密閉されている。
【００２３】
上述した毛髪処理器具１を用いた、本実施形態の毛髪処理方法を述べる。
毛髪保持具１を用いた、毛髪束９の巻き上げ処理については、上記第１実施形態と同様である（図３（ａ）〜（ｄ）参照）。
図４に示すように、毛髪束９と共に巻き上げられた毛髪保持具２を、１又は複数個まとめて袋３内に挿入して収容し、このような袋収容処理を、毛髪９の全体又は所定範囲に対して繰り返し行う。その後、すべての袋３を止着部３ａにより閉じ、袋３を手で揉んでから、所定の時間放置する。
【００２４】
この場合、袋３内において、毛髪束９は、両側から含浸体４によって挟まれており、含浸体４から滲出した毛髪処理剤５が、毛髪束９に十分に染み込んでから流れ落ちて、袋３内に溜まる。
その後の処理は、通常の毛髪処理の場合と同様である。
【００２５】
以上述べたように、本実施形態の毛髪処理方法によれば、毛髪処理中、予め毛髪処理剤５を含ませた袋３内に、巻き上げた毛髪束９を収容するようにしたため、その袋３内において、毛髪処理剤５の滴下処理を行うことなく、毛髪処理剤５を毛髪束９に浸漬させることができ、結果的に、毛髪処理剤５の液だれを防止できることになる。
【００２６】
また、本実施形態の毛髪保持器具１によれば、毛髪束９の巻き上げ処理を効率良く行える毛髪保持具２と併せて、含浸体４が固着された袋３を組合せたため、毛髪処理を行う際、美容師等の技術によらず、本実施形態の毛髪保持器具１を用いるだけで容易に行うことができる。
【００２７】
さらに、本実施形態の毛髪保持器具１によれば、含浸体４を、吸水性を有する網状構造又は海綿状構造にしたため、含浸体４に十分な量の毛髪処理剤５を含浸させることができ、袋３の２つの内面に含浸体４を張り付けたため、毛髪処理剤５を、直接滴下するのと同じように、毛髪束９に浸漬させることができる。
その他の構成・作用効果は、上記第１実施形態と同様である。
【００２８】
本発明は、上記第１、第２実施形態に限られることなく、種々の変更等を行うことがでる。
本発明の毛髪処理方法においては、予め毛髪処理剤を含ませた袋内に、巻き上げた毛髪束を収容してから、毛髪束に、袋内の毛髪処理剤と同じ又は異なる毛髪処理剤を滴下してもよい。このような毛髪処理方法は、２浴式の毛髪処理剤を用いた場合に効果的である。
また、本発明の毛髪処理器具においては、含浸体は、毛髪処理剤を含浸させない状態のまま、袋内に設けられていてもよく、この場合、毛髪処理を行う前に、含浸体に毛髪処理剤を含浸すればよく、袋を密封する処理を省けるという利点がある。
さらに、本発明の毛髪処理器具においては、袋を、弾性部材や糸等により収縮させ、収容された毛髪束を絞り込むようにしてもよい。この場合、袋を手で揉む手間を省けるという利点がある。
【図面の簡単な説明】
【００２９】
【図１】第１実施形態の毛髪処理方法に用いられる毛髪保持具及び袋を示す斜視図である。
【図２】第１、第２実施形態の毛髪処理方法に用いられる毛髪保持具を示す斜視図である。
【図３】第１、第２実施形態の毛髪処理方法における毛髪束の巻き上げ処理の手順を示す図である。
【図４】第２実施形態の毛髪処理方法に用いられる毛髪保持器具を示す斜視図である。
【符号の説明】
【００３０】
１        毛髪保持器具
２        毛髪保持具
３        袋
４        含浸体
５        毛髪処理剤
【図１】
2005152370.tif 000003
【図２】
2005152370.tif 000004
【図３】
2005152370.tif 000005
【図４】
2005152370.tif 000006